(57)【要約】  基部（１３）、および、少なくとも利用時に基部に対して旋回軸の周りに旋回可能なフラップ部（１４）を持つふたと、２つの隔置された点（４）を終端としその大部分が前記２つの点を結ぶ旋回軸に相当する仮想直線（５）から隔置されたフラップ部に対応するフラップ領域（６）を持つ面（２）と、を備え、フラップ部の旋回によって面がフラップ領域で引き裂かれ、面のフラップ領域を備えるフラップおよびそれに相当する面の取り出し口を形成してパケットの内部を取り出すことを可能にした後、フラップが取り出し口に対して引き上げられ取り出しを可能にする開位置とフラップが取り出し口を覆う閉位置との間で実質的に動くように、ふたが少なくとも基部の一部およびそのフラップ領域の一部において面に取り付けられている、パケット。【選択図】図１Ｂ
2012501919.tif 000002
【特許請求の範囲】
【請求項１】
−  基部、および、少なくとも利用時に前記基部に対して旋回軸の周りに旋回可能なフラップ部を持つふたと、
−  ２つの隔置された点を終端としその大部分が前記２つの点を結ぶ前記旋回軸に相当する仮想直線から隔置されたフラップ部に対応するフラップ領域を持つ面と、を備え、
前記ふたが、前記フラップ部の旋回によって前記面がフラップ領域で引き裂かれ、前記面の前記フラップ領域を備えるフラップおよびそれに相当する前記面の取り出し口を形成して前記パケットの内部を取り出すことを可能にした後、前記フラップが前記取り出し口に対して引き上げられ取り出しを可能にする開位置と前記フラップが前記取り出し口を覆う閉位置との間で実質的に動くように、少なくとも前記基部の一部およびそのフラップ領域の一部において前記面に取り付けられているパケット。
【請求項２】
前記フラップ領域が、形成済みパケット弱化部によって画定され、前記２つの隔置された点で終端する、前記請求項１に記載のパケット。
【請求項３】
前記ふたの前記フラップ部が、前記ふたにおいて形成済みふた弱化部によって画定され、前記旋回軸において終端する、請求項１に記載のパケット。
【請求項４】
前記フラップ部が、前記パケット弱化部および前記２つの点を覆うように、少なくとも前記パケットの前記面に取り付けられたその領域の大部分を占める、請求項１、２、または３に記載のパケット。
【請求項５】
前記パケットの前記面および前記ふたの少なくとも１つが、それぞれ前記フラップ領域または前記フラップ部を形成するために切断されるのに適合する素材から作られている、請求項１〜４のうちのいずれか１項に記載のパケット。
【請求項６】
前記ふたが、前記２つの点における前記フラップ部を少なくとも強化するために、その基部が少なくとも前記２つの点においてフラップ領域から離れる方向に前記仮想直線を越えて延在するように形成され配置される、請求項１〜５のうちのいずれか１項に記載のパケット。
【請求項７】
前記ふたが、少なくとも密封能力を向上するために、その基部およびそのフラップ部の少なくとも１つが前記仮想直線から離れる方向に前記フラップ領域を越えて延在するように形成され配置される、請求項１〜６のうちのいずれか１項に記載のパケット。
【請求項８】
前記ふたが１片の素材から製造されている、請求項１〜７のうちのいずれか１項に記載のパケット。
【請求項９】
前記ふたが、前記フラップ部中の形成済みスリットで作られた固定タブを備えて形成され、少なくとも１つの端部はそれに対して旋回可能なように前記フラップ部に取り付けられ、第２の端部は前記フラップ部が閉位置にあるときに前記基部に係合可能である、請求項１〜８のうちのいずれか１項に記載のパケット。
【請求項１０】
前記固定タブが、前記ふたの前記基部と概して整列している最初の閉位置と、ユーザの指で持たれるために前記タブが前記基部から突き出ている次の開位置と、閉位置で前記フラップを固定するために前記基部と係合するように持たらされた最終の閉位置との間で、前記フラップ部に対して前記旋回軸から隔置されたヒンジ軸の周りに旋回可能である、請求項９に記載のパケット。
【請求項１１】
前記固定タブが、前記固定タブにスリットまたは切り抜きによって形成された固定舌部を含む、請求項１０に記載のパケット。
【請求項１２】
前記ふたの前記基部が、その外周の全体の長さよりも本質的に短く前記パケットに自由に取り付けできる固定部をその外周に持ち、その固定領域において前記パケットの前記面から隔置され、前記固定部および前記面の前記固定領域が前記ふたの前記基部の前記固定部と係合する前記固定舌部を挿入するための受け口として働く、請求項１１に記載のパケット。
【請求項１３】
形成済みスリットによって作られた前記固定タブまたは前記固定舌部のうちの少なくとも１つが、各端部において、前記形成済みスリットの幅よりも幅が広く前記形成済みスリットの伸長よりも幅が狭いストッパを終端とする、請求項９〜１２のうちのいずれか１項に記載のパケット。
【請求項１４】
前記固定タブが、前記最終閉位置においてその最初の閉位置からヒンジ先の周りに１８０度折り返されている、請求項９〜１３のうちのいずれか１項に記載のパケット。
【請求項１５】
前記パケット弱化部が各端部において、前記弱化部の幅よりも幅が広く前記弱化部の伸長よりも幅が狭いストッパを終端とする、請求項２または請求項２に従属する請求項のうちのいずれか１項に記載のパケット。
【請求項１６】
前記ふた弱化部が各端部において、前記弱化部の幅よりも幅が広く前記弱化部の伸長よりも幅が狭いストッパを終端とする、請求項３または請求項３に従属する請求項のうちのいずれか１項に記載のパケット。
【請求項１７】
１片の材料から製造された、パケットに利用されるふたであって、前記ふたは、
−  固定部を備えた基部と、
−  フラップ部が前記ふたの前記基部と概して整列している最初の閉位置と、前記フラップが前記基部に関して前記旋回軸の周りに回転した開位置と、前記フラップが再び前記基部と概して整列している最終の閉位置との間で、一体化した旋回軸の周りに少なくとも利用時に旋回可能な前記フラップ部と、
−  前記フラップ部に取り付けられた第１の端部、および、少なくとも前記ふたの利用時に自由である第２の端部を持つ固定タブであり、前記固定タブが前記フラップ部に対して一体化したヒンジ線の周りに、前記固定タブの前記自由な端部が前記固定位置から隔置されている自由位置と前記固定タブが前記第１の端部から隔置された固定位置で係合可能である固定位置との間で旋回可能である固定タブと、を備えるふた。
【請求項１８】
前記パケットと一体化した部分を構成する、請求項１７に記載のふた。
【請求項１９】
前記パケットに適用するために構成される、請求項１７に記載のふた。
【請求項２０】
前記固定タブが、前記固定タブにスリットまたは切り抜きによって形成された固定舌部を含む、請求項１７に記載のふた。
【請求項２１】
前記ふたの前記基部が、その外周の全体の長さよりも本質的に短く前記パケットに自由に取り付けできる固定部をその外周に持ち、その固定領域において前記パケットの前記面から隔置され、前記固定部および前記面の前記固定領域が前記ふたの前記基部の前記固定部と係合する前記固定舌部を挿入するための受け口として働く、請求項２０に記載のパケット。
【発明の詳細な説明】
【技術分野】
【０００１】
本発明の主題は、面、および、パケット面の取出し口としてのふたをパケット面上に備える、分配パケットに関する。パケットは、湿潤ティッシュ、乾燥ティッシュ、またはその類似品、さまざまな乾燥食品、湿潤食品等の物品を収容および分配することができる。また、パケットは家に保管されるか、または、身につけて、おむつ用バッグに入れて、車のグローブボックスに入れて等、簡単に持ち運びされ得る。
【背景技術】
【０００２】
ティッシュ等物品用パケットは、当技術分野でよく知られている。これらの物品は、湿潤状態（洗浄剤、皮膚用薬剤等に浸された状態）または乾燥状態のいずれかで保管され得る。典型的に、これらのパケットは、携帯要件に応じて、軟パケットまたは硬質容器の形態である。ウェットティッシュの軟パケットは、通常、可塑性の気密フィルムで作られており、硬質容器は、一般に、成形されたプラスチックまたは段ボールで作られている。
【０００３】
ティッシュは典型的には長方形であり、分かれるようにつなげられたシートとしてまたは挟み込んだ別々のシートとして提供され、先のティッシュがパッケージから取り除かれると次のティッシュの一部が取出し口を通り、次のティッシュ（順に先のティッシュになる）を必要なときに簡単に取り除くことができる位置になると先のティッシュを放すことを保証するように、積まれている。ティッシュは、先頭のティッシュの取り除きが以降のティッシュに影響しないよう、挟み込まれることなく単純に積まれてもよい。
【０００４】
パケットの取出し口は、多くの形態をとり得る。典型的形態は、ティッシュが必要に応じて一度に一枚引き出される狭い開口部である。この形は、挟み込まれたティッシュを順次分配することを容易にする。しかし、このような取出し口は繰り返して再封する必要があるという要求がしばしば存在する。パケットの再封が可能であれば、その中の物品を外部環境に晒すことを最小限に抑え、異物がパケットに入り込むことを防ぎ、（その物品が湿潤ティッシュの場合は）パケットを使用していないときにパケット内の水分を維持することができる。うまく設計されたふたは、他と比較して、取出し口を通しての汚染や水分損失を最小限の抑えるはずである。
【０００５】
パケット用ふたは、ヒンジ留めされた硬質プラスチックフラップを備えて取出し口を囲む硬質プラスチックフレーム等、数多くの形態で既に存在し、必要に応じて、開いたり、閉じてクリップ留めしたりすることが可能である。別の既存の設計はパケットに取り外し可能に付着された軟性プラスチックフラップであり、はがして開くことで取出し口を表に出し、フラップの接着層によって取出し口に再付着されることができる。これらの設計は、取出し口を作るために、パケットの一部を完全に取り外す必要がある。
【０００６】
また、乾燥フルーツ等の再封可能なパケットも市場に存在し、一般的には、再封可能なファスナー式保存袋を利用している。
【発明の概要】
【発明の効果】
【０００７】
本発明の主題によれば、ティッシュ、食品等の物品を保存し分配するためのシステムが提供される。システムは、基部、および、少なくとも利用時に基部に対して旋回軸の周りに旋回可能なフラップ部を持つふたと、２つの隔置された点を終端としその大部分が２つの点を結ぶ旋回軸に相当する仮想直線から隔置されたフラップ部に相当するフラップ領域を持つ面と、を備え、フラップ部の旋回によって面がフラップ領域で引き裂かれ、面のフラップ領域を備えるフラップおよびそれに相当する面の取り出し口を形成してパケットの内部を取り出すことを可能した後、フラップが取り出し口に対して引き上げられ取り出しを可能にする開位置とフラップが取り出し口を覆う閉位置との間で実質的に動くように、ふたは少なくとも基部の一部およびそのフラップ領域の一部において面に取り付けられている。
【０００８】
本明細書および請求項で使用される語である弱化部は、目打ち、薄化等のレーザー処理、または材料を完全に貫通してスリットまたは完全切断を形成することを利用して形成される材料の弱化部を意味する。
【０００９】
面のフラップ領域は、２つの隔置された点に終端を持つ形成済みパケット弱化部によって画定され得る。パケット弱化部は、各端において、パケット弱化部の幅よりも幅が広くパケット弱化部の伸長よりも幅が狭いストッパを終端とする。
【００１０】
ふたのフラップ部は、旋回軸において終端するふたにおいて、形成済みふた弱化部によって画定される。これもまた、目打ち、薄化等のレーザー処理を利用して作成され得る。このふた弱化部は、フラップ部が所定の力でパケット面から引っ張られた場合に剥離するよう設計され得る。
【００１１】
パケット弱化部および／またはふた弱化部は、ふたの任意の形成済みスリットと同様に、スリットまたはパケット面からの材料の除去を各端において、弱化部またはスリットの幅よりも幅が広く弱化部またはスリットの伸長よりも幅が狭いストッパを終端とする。ストッパは円形、ジグザグ、または起伏等、任意数の形状またはパターンの実施形態をとり得る。
【００１２】
ふたはパケット面に接着剤、熱溶接、または別の取り付け方法によって取り付けられ得る。生産工程では、筒状に巻かれたふたが順番に充填済みパケットに取り付けられ得る。代替的に、ふたは、ディスペンサまたはマガジン等内に配置され得る。
【００１３】
フラップ部は、パケット弱化部および２つの点を覆うように、少なくともパケットの面に取り付けられたその領域の大部分を占める。
【００１４】
パケットの面およびふたの少なくとも１つが、それぞれフラップ領域またはフラップ部を形成するために切断されるのに適合する素材から作られ得る。
【００１５】
ふたは、２つの点におけるフラップ部を少なくとも強化するために、その基部が少なくとも２つの点においてフラップ領域から離れる方向に仮想直線を越えて延在するように形成され配置され得る。ふたは、また、少なくとも密封能力を向上するために、基部またはフラップ部の少なくとも１つが仮想直線から離れる方向にフラップ部を越えて延在するように形成され配置され得る。
【００１６】
ふたは、剛性がパケットよりも大きいか、または小さい、一片の材料から製造され得る。ふたは、射出成形、熱成形、加圧成形、コンピュータ裁断等によって成形され得る。
【００１７】
ふたは、フラップ部に対して旋回し得るようにフラップ部に取り付けられた１つの端部、および、フラップが閉位置にあるときに基部に係合可能な第２の端部を持つ固定タブを備えて形成され得る。固定タブは、ふたの基部と概して整列している最初の閉位置と、ユーザの指で持たれるためにタブが基部から突き出ている開位置と、閉位置でフラップを固定するために基部と係合するように持たらせれた最終の閉位置との間で、フラップ部に対して旋回軸から隔置されたヒンジ軸の周りに旋回し得る。
【００１８】
固定タブは、固定タブにスリットまたは切り抜きによって形成された固定舌部を含み得る。同様に、ふたの基部は、その外周の全体の長さよりも本質的に短くパケットに自由に取り付けできる固定部をその外周に持ち得、その固定領域においてパケットの面から隔置され、固定部および面の固定領域がふたの基部と係合する固定舌部を挿入するための受け口として働く。固定タブは、最終閉位置においてその最初の閉位置からヒンジ線の周りに１８０度折り返され得る。
【００１９】
代替的に、ふたは、少なくともその一部がパケットの面に着脱可能な接着用テープのひもから構成されてもよく、必要に応じてパケットフラップを閉位置に保ち、最初に弱化部が裂かれた後のパケットを効果的に再封する。
【００２０】
弱化部およびふたは、パケット面の中央に置かれる必要はなく、必要であればパケットの縁に向かって配置され得ることに注意されたい。
【００２１】
本発明の主題の別の態様によると、１片の材料から製造された、パケットに利用されるふたであって、ふたは、
−  固定部を備えた基部と、
−  フラップ部がふたの基部と概して整列している最初の閉位置と、フラップが基部に関して旋回軸の周りに回転した開位置と、フラップが再び基部と概して整列している最終の閉位置との間で、一体化した旋回軸の周りに少なくとも利用時に旋回可能なフラップ部と、
−  フラップ部に取り付けられた第１の端部、および、少なくともふたの利用時に自由である第２の端部を持つ固定タブであり、固定タブが前記フラップ部に対して一体化したヒンジ線の周りに、固定タブの前記自由な端部が固定位置から隔置されている自由位置と固定タブが前記第１の端部から隔置された固定位置で係合可能である固定位置との間で旋回可能である固定タブと、を備えるふたが提供される。
【００２２】
ふたは、パケットと一体化した部分を構成してもよく、または、パケットに適用されるために構成されてもよい。
【００２３】
固定タブは、固定タブにスリットまたは切り抜きによって形成された固定舌部を含み得る。
【００２４】
ふたの基部は、その外周の全体の長さよりも本質的に短く前記パケットに自由に取り付けできる少なくとも１つの固定部をその外周に持ち、その固定領域においてパケットの面から隔置され、固定部および面の固定領域がふたの基部の固定部と係合する固定舌部を挿入するための受け口として働く。
【００２５】
本発明の主題を理解するため、および、実際に実施され得る方法をみるために、ここで、非制限的な例によってのみ添付図面を参照して実施形態を説明する。
【図面の簡単な説明】
【００２６】
【図１Ａ】本発明の主題のパケットを示す図である。
【図１Ｂ】図１Ａに示すパケットについて、本発明の主題の一実施形態によるふたがその面に取り付けられ、ふたが閉位置にある場合を示す図である。
【図１Ｃ】図１Ａおよび図１Ｂのふたを備えたパケットについて、ふたが開位置にある場合を示す図である。
【図２Ａ】図１Ｂに示すふたの平面上面図である。
【図２Ｂ】図１Ｂに示すふたの上面等角図である。
【図３Ａ】図２Ａに示すふたを線Ａ−Ａで切断した断面図である。
【図３Ｂ】図３ＡのＢの詳細を示す図である。
【図３Ｃ】図３ＡのＣの詳細を示す図である。
【図４】図１Ｂに示すふたの底面図であり、影付きの範囲はパケットから離れている領域を示す。
【図５】図２Ａおよび２Ｂに示すふたについて、ふたの固定タブがその最初の閉位置にある場合（図５Ａ）、開位置にある場合（５Ｂ）、および、最終の閉位置にある場合（５Ｃ）を示す図である。
【図６】図１Ｂから図５Ｂまでに示したふたのさまざまな実施形態を示す図である。
【図７】図７Ａから図７Ｄは本発明に主題によるふたの異なる構成を示す図である。
【図８】図８Ａから図８Ｃは本発明に主題によるふたの異なる構成を示す図である。
【図９】図９Ａおよび図９Ｂは本発明に主題によるふたの異なる構成を示す図である。
【図１０】本発明に主題によるふたの異なる構成を示す図である。
【図１１】図１１Ａから図１１Ｃは本発明に主題によるふたの異なる構成を示す図である。
【図１２】図１２Ａから図１２Ｃは本発明に主題によるふたの異なる構成を示す図である。
【図１３】図１３Ａおよび図１３Ｂは図７Ａおよび図７Ｂに示すふたの別の利用例を示す図である。
【図１４】図１４Ａ及び図１４Ｂは図７Ａおよび図７Ｂに示すふたの修正形態を示す図である。
【図１５】図１５Ａ及び図１５Ｂは図７Ａおよび図７Ｂに示すふたの修正形態を示す図である。
【発明を実施するための形態】
【００２７】
図１から図１１は本発明の主題によるふたを備えたパケットの異なる例を示す。これらの例において、パケットはティッシュの保存および分配用に適合されているが、湿潤または乾燥食品を含む他の任意の適切な用途に当然利用され得る。また、パケットは、同時に１枚のティッシュを分配するように適合されている。ふたの機能は、その中に収容されたティッシュの汚染と乾燥を防ぐために、ティッシュの取出し口を繰り返し密封する方法を提供することである。
【００２８】
ここで、任意の「ティッシュ」の指すものは、通常のティッシュに加え、湿潤ティッシュ、タオレット、ナプキン、および同様物品を含み、乾燥か湿潤かを問わない。ティッシュは、分かれるようにつなげられたシートとしてまたは挟みこまれた別々のシートとしてパケット内部に配置され、先のティッシュがパッケージから取り除かれると次のティッシュの一部が取出し口を通り、次のティッシュ（順に先のティッシュになる）を必要なときに簡単に取り除くことができる位置になると先のティッシュを放すことを保証するように、積まれている。ティッシュは、先頭のティッシュの取り除きが以降のティッシュに影響しないよう、挟み込まれることなく単純に積まれてもよい。
【００２９】
パケットは、合成樹脂、プラスチック、ラミネート加工または非ラミネート加工のダンボール等を含む任意の一材料または複数の材料から作られ得、その形状はさまざまであり得る。
【００３０】
説明される例におけるパケット上のふたの位置はパケット面の中央であるが、明らかにさまざまであり得、今日の市場における慣例的用途と同様の位置に置かれる必要は無い。
【００３１】
図１Ａを参照すると、パケット１はパケット弱化部３（短い破線で示す）を備えた面２を含み、弱化部が裂かれるとティッシュ取出し口の境界が形成され、その取出し口を通ってパケット１内部からティッシュが取り除かれることが示されている。
【００３２】
弱化部は、仮想直線５（長い破線で示す）によって結ばれる２つの隔置された点４を終端とする。弱化部３の大部分は、２つの点４を結び弱化部３とともにフラップ領域６を画定する仮想直線５から隔置されている。
【００３３】
図１Ｂおよび図１Ｃは、基部１３を構成する外部リングを備える、ふた１２を示す。基部１３は、（本実施形態においては半円形の形状である）弱化部１５によってふた１２内に画定されるフラップ部１４を完全に取り囲む（ただし、いつも該当するわけではない。図６参照）。ふた１２の最内部は、固定タブ１６である。固定タブ１６は、形成済みスリット１７によってフラップ部１４内に画定される。ふた１２は、一般に半円形の形状を持つが、多くの形状を実施形態とし得、以下の記述で説明されるのと同様の固定原理を使用する。ふた１２は、複数のプラスチック、ラミネート、およびダンボールを含むさまざまな材料から作られ得る。
【００３４】
図２Ａは、一般的な半円形の形状を持つ、図１Ｂと同じ実施形態のふたを示す。固定タブ１６は、固定タブ１６を画定する形成済みスリット１７の両端において、ふた１２の２つの小さいストッパ２２の間を、ヒンジ軸２１の周りで旋回する。ストッパ２２は、固定タブ１６が繰り返し開閉する間に、スリット１７が最初の限界を超えるのを阻止するのに役立つ。固定タブ１６は、本実施形態のように、切り抜き範囲２３を囲んで固定舌部２４を画定してもよく、または、固定舌部が形成済みスリットを備えた固定タブ内に形成されてもよい。固定舌部２４は、利用の間にティッシュの取出し口（図示されていない）の密封を維持するため、ふた１２の周囲に切りこまれた固定部２５の下に滑りこむ。
【００３５】
図２Ｂは、図２Ａに示すふたの上面等角図である。
【００３６】
図３Ａにおいて、ふた１２のＡ−Ａの断面に沿った、一般的な材料の厚みが画定される。一般的に、断面は、本発明の主題のこの様式の実施形態における任意の形状のふたについて、図３Ｂに示すヒンジ軸２１および図３Ｃに示すふた弱化部１５における詳細を含めて、同一である。
【００３７】
再度、図１Ｂおよび１Ｃを参照して、ふた１２は、弱化部３および２つの点４を含むフラップ領域６を覆うように、例えば接着剤または熱溶接によってパケット１の面２に取り付けられる。具体的には、フラップ部１４はフラップ領域６を覆い、一旦取り付けられると、図１Ｃに示すように、フラップ部１４およびフラップ領域６は結合して一体化したフラップを形成する。基部１３は、常に、すなわち、ふたが最初の閉位置にあるとき、ふたが開位置にあるとき、およびふたが最終の閉位置になった後、パケット面２に対して固定位置を維持する。
【００３８】
図４は、再び第一の実施形態を用い、パケット（図示されていない）に恒久的に取り付けらたふた１２の下面の範囲４１を示す。任意の形状のふたに相当する範囲もまた、パケットに取り付けられている。本実施形態において、基部１３は、ロック部２５の範囲の外周上にある部分を除き、パケットに完全に取り付けられている。ふた弱化部１５の周りの範囲３１も、必要に応じて、取り付けられていない状態にある。フラップ部１４の残りの部分は、フラップ領域（図示されていない）に取り付けられ、一体化したフラップを維持する。固定タブ１６もまた、取り付けられずに、自由なままで、ヒンジ軸２１の周りを旋回する。
【００３９】
操作方法を、図５Ａ、５Ｂ、および５Ｃに示す。ふた１２は、ティッシュ取り出し口を、繰り返し、および、密封して閉じることができる。
【００４０】
図５Ａにおいて、本実施形態のふた１２は、消費者がティッシュディスペンサを受け取ったときのように、最初の閉位置にある。フラップ部１４は、基部１３およびパケット面（図示されていない）と同じ面に、平らに置かれている。ふた弱化部１５は裂かれていない。固定タブ１６もまた、同じ平面上に置かれている。消費者が固定タブ１６を引っ張ると、ふたが開位置にある図５Ｂに見られるように、ふた弱化部１５およびパケット弱化部（図１Ｃに示す）が裂け、フラップ部１４が持ち上げられる。
【００４１】
図５Ｂに、固定舌部２４、および、ふた１２の外周にある固定部２５が見られる。開位置において、それらは係合されていない。固定タブ１６は、ヒンジ軸２１の周りで、ある程度まで旋回される。ふた弱化部１５（図５Ｂ）は最初の開封で裂かれ、フラップ部１４が形成され、旋回軸５１の周りで回転され、ベース部１３と同じ平面内ではなくなる。
【００４２】
図５Ｃは、最初に開封して再び閉じた後である最終の閉位置における、本発明の主題の本実施形態を示す。フラップ部１４は、基部１３と同一の平面上にあり、パケット面（図示されていない）に対して平らで、固定タブ１６はヒンジ軸２１の周りで完全に１８０度回転されている。最終の閉位置では、固定舌部が固定部の下に置かれて、フラップ（フラップ部１４を含む）を閉位置にすることにより、パケットの内容物を外部環境から守る。
【００４３】
図６は、図１Ｂから５Ｂまでに見られるふたの実施形態の変形を示す。本設計において、基部６３はふた６２のフラップ部６４の周囲を完全に囲んでいない。基部６３は、ふた弱化部６５の範囲内でフラップ部６４を囲む。固定タブ６６は、図１Ａから５Ｂに見られるものとほとんど同じであるが、前記実施形態のようにフラップ部６４によって完全に囲まれてはいない。一体化したヒンジ６１の範囲内で、フラップ部に接続されているだけである。
【００４４】
図７Ａおよび図７Ｂは、図１Ｂから５Ｂに見られるふたの実施形態の別の変形を示す。ふた７１は、ふた１２の構造と同様の構造であり、その違いは、固定タブ７６、固定舌部７４を画定する切り抜き範囲７３、およびその固定部７５の形状にある。
【００４５】
固定タブ７６は、固定タブ７６を掴みやすくするための円弧形の掴み用切り抜き範囲７８を持つ。固定部７５は係合部７５ｂを形成する切り抜き範囲７５ａを備えており、図７Ｂに示すように、切り抜き範囲７５ａによって固定舌部７４は係合部７５ｂの下の固定位置につくことができる。
【００４６】
図７Ｃおよび図７Ｄを参照すると、図７Ａおよび図７Ｂに示したふたについて、複数の範囲を概略的に示しており、パケット（図示されていない）に恒久的に取り付けられた範囲と、取り付けられていない状態にある範囲がある。図７Ｃに示すように、取り付けられていない状態にある範囲は固定タブ７６、ふた弱化部７９に沿って延在する範囲Ｒおよび固定部７５の係合部７５ｂであり、ふた７１の残りの部分はパケットに取り付けられていない。代替的に、図７Ｄに示すように、範囲Ｒはパケットに取り付けられ、固定タブ７６および係合部７５ｂのみが取り付けられていない。
【００４７】
図８Ａから８Ｃを参照すると、図７Ａから７Ｄに示したふたの別の構成が示されており、基部１７０の遠位部１７０ａは、旋回軸１７２（図８Ｂに点線で示す）の全体にそって延在せず、その２つの端部１７２ａおよび１７２ｂに終端を持つ。
【００４８】
図９Ａおよび図９Ｂを参照すると、図８Ａから８Ｃに示すふたの別の構成が示されており、固定タブ１８６は固定舌部を持たず、単に、固定タブ１８６を固定部１８５の係合部１８５ａの下に挿入することによって、基部１８４の固定部１８５に固定タブ１８６が係合される。
【００４９】
図１０は、一般的な長方形の形状のふた８１を備えた、本発明の主題の別の構成を示す。基部８２、フラップ部８３および固定タブ８４の主な機能は、本実施形態にとどまる。固定タブ８４の形成済みスリット８５は、固定舌部を画定するが、前記実施形態で利用されたような切り抜きも利用され得る。本例では、基部８２の外周の切り抜きが固定部として機能する必要はなく、（基部８２の）一直線の縁は固定舌部８５の受け口として十分である。
【００５０】
図１１Ａから１１Ｃは、容器Ｃと一体化した部分を構成するふた９１を備えた本発明の主題の別の構成を示し、容器Ｃが備える表面Ｓにふた９１が形成されている。ふた９１は、図７Ａおよび図７Ｂに示すふた７１の構造と同様の構造であるが、本発明の主題による別の構成を持ち得、フラップ部９２、つかみ用切り抜き範囲９８および固定舌部９４を画定する切り抜き反映９３を備えた固定タブ９６、および、固定部９５を含む。しかし、ふた９１は表面Ｓ以外には基部を持たず、ふたを表面に取り付ける必要がないので、本構成では基部は必要とされない。ふた９１が開位置にあるときフラップ部９４は取出し口Ｏを画定し（図１１Ｂ）、これを通して、消費者は容器Ｃの内容物を取り出す。
【００５１】
掴み用切り取り範囲９８は、容器Ｃの製造中に切り取り範囲９３および固定部９５を表面Ｓから取り除くか、または、容器が最初に使用されるときに消費者によって裂かれるように範囲９８、範囲９３、および範囲９５の境界に沿う弱部として形成され得る。製造中にこれらの範囲が取り除かれ、そのため、露出された状態になる場合には、容器Ｃはその内容物の露出を防ぐために透明な材料で包装され得る。代替的に、図１２Ａから１２Ｃに示すように、容器Ｃは、表面Ｓの内面Ｓｉｎに取り付けられ、少なくとも取り除かれた範囲、すなわち、掴み用切り取り範囲９８、切り取り範囲９３、および固定部９５を覆うような大きさであるカバーシート１００を備え得る（図１２Ａ）。シート１００は、線１０１（図１２Ｂに破線で示す）に対応する弱化部とともに形成され、この線に沿ってシートが裂かれることによって、表面Ｓに取出し口Ｏ（図１２Ｂ）が形成される。
【００５２】
本発明の主題によるふたは、たとえば図１Ｂに示すふたのようにパケットに直接取り付けられてもよく、または、間接に取り付け、すなわち、取り付けられたふたがパケットの内容物を利用できるようにしている限りは、パケットと一体化した部分を構成していないであろう任意の付加的な要素に取り付けられてもよい。付加的要素は、さらに、ふたの一部を構成してもよく、すなわち、ふたとともにパケットに取り付けられるように構成されてもよい。
【００５３】
図１３Ａおよび図１３Ｂは、（上記で説明された任意の他のふたも利用され得るが、容器Ｃ１またはＣ２の表面の一部を構成するふた７１と類似のふた１１１を示す。
【００５４】
図１３Ａに示すように、シート１１０は、容器Ｃ１の表面Ｓ１の外面に取り付けられ、表面Ｓ１内の開口部Ａ１を覆う。シート１１０が取り付けられた後は開口部Ａ１を利用できなくなるため、開口部Ａ１はシート１１０を取り付ける前に作成されなければならない。
【００５５】
図１３Ｂに示すように、シート１１０は容器Ｃ２の表面Ｓ２の内面に取り付けられ、開口部Ａ２を覆う。開口部Ａ２は、シート１１０を取り付ける前に作成されるか、または、容器が最初に使用されるときに表面Ｓ２の一部を取り除くことによって形成され得る。後者の場合、開口部Ａ２は、表面Ｓ２内に形成され消費者によって取り除かれることが可能な弱部（図示されていない）によって画定される。
【００５６】
本発明の主題によるふたは、さらに、ふたとは異なる材料またはふたと同じ材料で作られた、ふたと一体化した部分またはふたへ取り付けられた部分を構成する、吊り下げ手段を備え得る。吊り下げ手段は、ふたの位置およびパケットに対する方向に応じて、ふたの任意の部分に付随し得る。
【００５７】
吊り下げ手段は、たとえば、図１４Ａに示す吊り下げループ１２０、および／または、図１４Ｂに示す吊り下げフック１２２のような形状であり得、たとえば、パケットを家に置くときや販売用に展示するときに役立ち得る。
【００５８】
本発明の主題によるふたは、さらに、必要に応じてふたと同じ材料で作られ、消費者が切断手段をふたから簡単に外すことができるように取り外し可能に取り付けられた切断手段を備え得る。切断手段は、ふたの一部の境界、および、必要に応じて、対応するパケットの境界に沿って切断を行うために構成され得るこの構成により、使用前に、パケットとふたの弱化部に沿ってパケットを完全に密封することができる。
【００５９】
図１５Ａおよび１５Ｂを参照すると、本発明の主題による任意のふたであり得るふた１３１は、取り付け線を構成する取り付け線に沿ってピック１４３によってふたの基部１３５に取り外し可能に取り付けられたナイフ１４１を含み、消費者はナイフ１４１を取り付け線１４３の周囲で旋回させ、そこから引っ張ることによって、ナイフ１４１を基部１３５から外すことができる。ナイフ１４１は、ふた弱化部１３７および対応するパケット弱化部に沿って切断して、開口（図示されていない）を画定し、パケット内部を利用できるように構成されている。
【００６０】
上記で既に述べたように、パッケージは、食品（ばらばらの乾燥食品等）のようなさまざまな製品の保存および分配用に利用され得る。同様に、パッケージは、多くの異なる形状で設計され得、取り出し用のふたは、その内容物に応じて要望通りに他の中から選択され得る。たとえば、乾燥食品用のパッケージの場合、パッケージは自立型であり、取り出し用の開口はその最上部またはその近くに適合されていることが望ましい。しかし、パッケージの形状と機能に関する制限はなく、軟包装でもあり得る。
【００６１】
さらに、本発明の主題は、この上記において図示され説明されたように分配用のふたに関するものであり、パッケージとは別々に製造され、任意の段階でパッケージに適用され得るものであることは、理解されよう。本発明の主題はこの上記において記述された例示的な実施形態によって示されるものに限定されないことは、当業者によって理解されよう。このように、取出し口にふたユニットを備えたパケットは、本主題事項の範囲内において必要な変更を加えて、さまざま構成で実施され得る。
【図１Ａ】
2012501919.tif 000003
【図１Ｂ】
2012501919.tif 000004
【図１Ｃ】
2012501919.tif 000005
【図２Ａ】
2012501919.tif 000006
【図２Ｂ】
2012501919.tif 000007
【図３Ａ−３Ｃ】
2012501919.tif 000008
【図４】
2012501919.tif 000009
【図５Ａ】
2012501919.tif 000010
【図５Ｂ】
2012501919.tif 000011
【図５Ｃ】
2012501919.tif 000012
【図６】
2012501919.tif 000013
【図７Ａ】
2012501919.tif 000014
【図７Ｂ】
2012501919.tif 000015
【図７Ｃ】
2012501919.tif 000016
【図７Ｄ】
2012501919.tif 000017
【図８Ａ】
2012501919.tif 000018
【図８Ｂ】
2012501919.tif 000019
【図８Ｃ】
2012501919.tif 000020
【図９Ａ】
2012501919.tif 000021
【図９Ｂ】
2012501919.tif 000022
【図１０】
2012501919.tif 000023
【図１１Ａ−１１Ｃ】
2012501919.tif 000024
【図１２Ａ−１２Ｃ】
2012501919.tif 000025
【図１３Ａ】
2012501919.tif 000026
【図１３Ｂ】
2012501919.tif 000027
【図１４Ａ】
2012501919.tif 000028
【図１４Ｂ】
2012501919.tif 000029
【図１５Ａ】
2012501919.tif 000030
【図１５Ｂ】
2012501919.tif 000031
【国際調査報告】
2012501919.tif 000032
2012501919.tif 000033
2012501919.tif 000034